(57)【要約】【課題】現在別種な機器として使用されているル−ペとビュ−ア−は類似のレンズを使用している事からビュ−ア−用レンズをル−ペに兼用したい。【解決手段】比較的倍率の低いル−ペレンズはビュ−ア−レンズと焦点距離が近似して居り視野とアイポイントの関係でル−ペレンズをビュ−ア−に使用は出来ないが逆は可能で有り、機体構造を変える事で解決出来た。【選択図】  図２
2004271657.tif 000002
【特許請求の範囲】
【請求項１】
スライドフィルム用のビュ−ア−の光源部を取り外し可能としレンズ部分がル−ペとして使用出来るフィルムビュ−ア−。
【発明の詳細な説明】
【０００１】
【発明の属する技術分野】
本発明は光学機器の写真用品に属する。
【０００２】
【従来の技術】
従来に於いてはそれぞれの機器が単独で設定され、ビュ−ア−のレンズ部と光源部を分ける事は出来ず、敢えて分離する事は破壊する手段しか無かった。又ル−ペレンズをビュ−ア−として使うには光源部が無く通常のライトボックス上でル−ペとして使用する以外出来ない状況に在った。
【０００３】
【発明が解決しようとする課題】
本発明は類似のレンズを別種の機器として重複して使わず兼用する事で資源節約の一端を担い、且つ徒に機器を増やす愚を避ける事を目的とした。
ル−ペと称されて居るレンズは拡大倍率３倍から１０倍の多岐に亘り更に１５倍を越える特殊な物も在る。通常にル−ペとして使用されるのは３倍から５倍程度が多く視野内に１３５フィルムの全画面をカバ−する低倍率物とカバ−出来ない高倍率物が在る。５倍の倍率を越えるル−ペでは良好な視野範囲は１３５フィルムをカバ−する事が出来ず画面の部分を拡大するに過ぎない。
【０００４】
又呼称される倍率は定数をル−ペレンズの焦点距離で割った値に＋１すると言う経験値的表示で在り実際の使用に当たっては使用状態に依って変動する値で目安値に過ぎない。レンズを使用したビュ−ア−の拡大倍率は２．５倍から３倍程度で在りル−ペレンズの拡大倍率の小さい方と較べて同等といえる。またビュ−ア−は必ず全視野をカバ−する必要が在り、ル−ペの様に部分拡大と言う状態は有り得無い。
【０００５】
【課題を解決するための手段】
拡大倍率が同等で在ると言う事は両者共に肉眼視で在るからレンズの光学的性能上の問題はル−ペではレンズに目を近づけて使用するから長いアイポイントを求められず、２０ｍｍ以下でも許される。しかしビュ−ア−では両眼視する事から必然的にアイポイントが長くなり此処に基本的な相違が見られるが大は小を兼ね、ビュ−ア−レンズをル−ペとして使用することは可能で有り、アイポイントが長い事を理解すれば使用上差し支え無い。
【０００６】
問題は両者の構造に在り、ビュ−ア−は光源を内蔵し、且つフィルムを定位置に保持する機構を持たねば成らない。一方ル−ペは見る対象物に直接載せ又は触れて其の場所を拡大視する。此の差異は僅かで在り、現在一体化されて居るビュ−ア−をル−ペと光源部とレンズ部とに分け、レンズ部単体でル−ぺとして使用できる形態とする事で解決する。
【０００７】
【発明の実施の形態】
図１は本発明に於けるビュ−ア−の構造を示す。１−１は拡大レンズ１−２はレンズを保持し視野位置を定めるレンズ枠、１−３は光源部で同時にビュ−ア−としてフィルム保持機能を上部に持っている、１−４は光源部とレンズ部を連結固定する部分であり、１−５はスリ−ブ挿入口を示す。
【０００８】
図２はレンズ部と光源部を分離した状態を示し、２−１のレンズ部は此の状態でル−ペとして機能し得る構造として在る。
２−３の光源部は２−４の連結部にマウントフィルム及びフィルムスリ−ブの保持台を持ち、分離した２−２のレンズ枠と併せてマウント及びスリ−ブを支持固定する構造としてある。２−５はマウント挿入口を示す。
【０００９】
【実施例】
実施するに当たりレンズとして複合レンズを採用し外郭は合成樹脂とし光源部との連結を容易とした。光源部側も同じ材質で作り取付取り外し時に何れかがより激しい摩耗を来さない様に配慮した。
光源は暫定的にタングステンランプを用い、電源は乾電池で点灯し、ランプの点灯はマウント又はスリ−ブの挿入に依って作動するスイッチ機構を採用してスイッチの切り忘れに依る電池の消耗を防止した。
【００１０】
【発明の効果】
従来のル−ペではレンズに目を接近させフィルム画面を覗く２０ｍｍ以下の短いアイポイントでしか無かったが元々両眼視を求められるビュ−ア−では遥かに長い２００ｍｍに及ぶアイポイントを持ち従来のル−ペに比して身を屈める事無く楽な姿勢でフィルムの全画面を拡大視出来た。
【図面の簡単な説明】
【図１】本発明に於けるビュ−ア−としての形状を示す。
【図２】本発明のビュ−ア−を分離した形を示す。
【図１】
2004271657.tif 000003
【図２】
2004271657.tif 000004
【手続補正書】
【提出日】平成15年6月11日(2003.6.11)
【手続補正１】
【補正対象書類名】明細書
【補正対象項目名】全文
【補正方法】変更
【補正の内容】
【特許請求の範囲】
【請求項１】スライドフィルム用のビュ−ア−の光源部を取り外し可能としレンズ部分がル−ペとして使用出来るフィルムビュ−ア−。
【請求項２】請求項１の光学系に於いて双眼視用ビュア−と、これにレンズを付加する事で同一視界を保ち且つ高倍率な隻眼視用ル−ペと成す事が可能なフィルムビュ−ア−。
【請求項３】請求項１及び請求項２に於いて外郭部を固定とせず使用時には光学系を所定に位置に配し、収納時は折り畳んで小型化出来る構造とし請求項２の場合に於いてはピント調製機構も兼ねる折り畳み式ビュ−ア−。
【発明の詳細な説明】
【０００１】
【発明の属する技術分野】
本発明は光学機器の写真用品に属する。
【０００２】
【従来の技術】
従来に於いてはそれぞれの機器が単独で設定され、ビュ−ア−のレンズ部と光源部を分ける事は出来ず敢えて分離する事は破壊する手段しか無かった。又ル−ペレンズをビュ−ア−として使うには光源部が無く通常のライトボックス上でル−ペとして使用する以外は出来ない状況に在った。ル−ペと称されて居るレンズは拡大倍率３倍から１０倍の多岐に亘り更に１５倍を越える特殊な物も在る。通常にル−ペとして使用されるのは３倍から５倍程度が多く視野内に１３５フィルムの全画面をカバ−する低倍率物とカバ−出来ない高倍率物が在る。５倍の倍率を越えるル−ペでは良好な視野範囲は１３５フィルムをカバ−する事が出来ず画面の部分を拡大するに過ぎ無かった。
【０００３】
ル−ペではアイポイントと呼ばれる光学系から射出する光束の集中点がレンズ面から通常１０ｍｍ程度であり、眼鏡を掛けての使用では不足して周辺の画像迄を一時に見る事が出来ず、眼を動かすか、眼鏡を外し眼をレンズに寄せてアイポイント位置に置く事で見えると言う事情がある。ビュ−ア−では最初から両眼視のためにレンズの左右を眼幅近くまで拡げてレンズから眼迄を２００ｍｍ以上として設定する。レンズ外寸が大で在るから当然１３５フィルム画面全域を一時に見る事が可能と成る。しかしレンズ外寸を大とする事は必然的にレンズの焦点距離を大とせざるを得ず、拡大率を低く押さえる結果と成った。
【０００４】
【発明が解決しようとする課題】
本発明は類似のレンズを別種の機器として別途に使わず兼用する事で資源節約の一端を担い、且つ徒に機器を増やす愚を避ける事を目的とした。同時にビュ−ア−は其の性質上フィルム保持機構と光源を持ちそれぞれを所定の位置に保持する外郭のために必然的に大きな外郭と成った。ライトボックスに比しては小と言えるがかなり大きがある。同時に視覚光学系に於いては理論上は無限遠に向けて光束を射出する設計を行うが実使用に於いては虚像で且つ明視の距離以遠に有るのが良いとされている。
【０００５】
個人に依って明視の距離は異なり、像点距離をｍで表した逆数のディオプタ−を用いると０〜−５ディオプタ−の範囲とされている。
此の個人差を解決するのが視度調節機構で有るが普及品では−１ディオプタ−固定としてある。
【課題を解決するための手段】
拡大倍率が同等で在ると言う事は両者共に肉眼視で在るからレンズの光学的性能上の問題はル−ペではレンズに目を近づけて使用するから長いアイポイントを求められず、２０ｍｍ以下でも許される。しかしビュ−ア−では両眼視する事から必然的にアイポイントが長くなり此処に基本的な相違が見られるが大は小を兼ね、ビュ−ア−レンズをル−ペとして使用することは可能で有り、アイポイントが長い事は使用上差し支え無い。
【０００６】
問題は両者の構造に在り、ビュ−ア−は光源を内蔵し、且つフィルムを定位置に保持する機構を持たねば成らない。一方ル−ペは見る対象物に直接載せ又は触れて其の場所を拡大視する。此の差異は僅かで在り、現在一体化されて居るビュ−ア−をル−ペと光源部とレンズ部とに分け、レンズ部単体でル−ぺとして使用できる形態とする事で解決する。
【０００７】
更にル−ペとして用いる場合に高倍率が要求され、これを満たすに当たり焦点位置の問題が有り単純にレンズを付加する訳には行かない。焦点距離が倍率を満足してもそれは飽くまで光軸近傍の事で在って画面周辺では像の乱れが大きくなり使用に耐えない収差状態と成る事が予測される。
【０００８】
【発明の実施の形態】
図１は本発明に於けるビュ−ア−の構造を示す。１−１は拡大レンズ１−２はレンズを保持し視野位置を定めるレンズ枠、１−３は光源部で同時にビュ−ア−としてフィルム保持機能を上部に持っている、１−４は光源部とレンズ部を連結固定する部分であり、１−５はスリ−ブ挿入口を示す。
【０００９】
図２はレンズ部と光源部を分離した状態を示し、２−１のレンズ部は此の状態でル−ペとして機能し得る構造として在る。
２−３の光源部は２−４の連結部にマウントフィルム及びフィルムスリ−ブの保持台を持ち、分離した２−２のレンズ枠と併せてマウント及びスリ−ブを支持固定する構造としてある。２−５はマウント挿入口を示す。
【００１０】
図３はビュ−ア−レンズ部に拡大鏡をを付加した例を示す、３−１は図１、図２で示したビュ−ア−光学系であり、３−２は３−１の光学系に望遠鏡系を付加して倍率を高めた形を示す、本例ではビュ−ア−光学系での可視範囲を更に拡大視出来、従来の部分拡大式のビュ−ア−とは異なる。
【００１１】
図４はビュ−ア−外郭を畳み込み可能な方式とした例を示す。４−１は使用状態を示し、４−２は畳み込んだ状態の断面図を示す。３−１図に見られる通り画面位置とレンズの間の空間は収納時には不要の空間として縮小する事が可能であり、機構的ににも視度調整機構として利用できる。
【００１２】
【実施例】
ビュ−ア−レンズとして複合レンズを採用し外郭は合成樹脂とし光源部との連結を容易とした。光源部側も同じ材質で作り取付取り外し時に何れかがより激しい摩耗を来さない様に配慮した。ビュ−ア−の拡大倍率は３．５であるがこれに凸レンズを付加する事で７倍のル−ペとして使用出来る。光源は暫定的にタングステンランプを用い、電源は乾電池で点灯し、ランプの点灯はマウント又はスリ−ブの挿入に依って作動するスイッチ機構を採用してスイッチの切り忘れに依る電池の消耗を防止した。
【００１３】
【発明の効果】
従来のル−ペではレンズに目を接近させフィルム画面を覗く２０ｍｍ以下の短いアイポイントでしか無かったが元々両眼視を求められるビュ−ア−では遥かに長い２００ｍｍに及ぶアイポイントを持ち従来のル−ペに比して身を屈める事無く楽な姿勢でフィルムの全画面を拡大視出来た。更に高倍率を要する時は用意の光学系を付加して画像全面の細部を拡大視できる。
【図面の簡単な説明】
【図１】本発明に於けるビュ−ア−としての形状を示す。
【図２】本発明のビュ−ア−を分離した形を示す。
【図３】ビュ−ア−にレンズを付加して拡大視する光学系を示す。
【図４】ビュア−外郭を折り畳み可能式とした例を示す。


【手続補正２】
【補正対象書類名】図面
【補正対象項目名】図３
【補正方法】追加
【補正の内容】
【図３】
2004271657.tif 000005
【手続補正３】
【補正対象書類名】図面
【補正対象項目名】図４
【補正方法】追加
【補正の内容】
【図４】
2004271657.tif 000006